(57)【要約】      （修正有）【課題】電子装置の回路基板に設けられるコンピュータ機能制御装置を提供する。【解決手段】機能管理装置１と複数の設定部１１と機能統合装置２と駆動装置３とからなる。上述の構造により、使用者はコンピュータのキーボード操作によって駆動装置を起動することができ、駆動装置は機能管理装置を起動すると同時に機能統合装置を駆動する。そのうち、機能管理装置はハードウェア設備の電気状態を表示することができるとともに、使用者は設定部によってハードウェア設備の動作周波数を選択的に設定し、機能統合装置は電気状態に対応する機能統合パラメータ２１１を実行することによって、複数の動作システムの動作機能を調整することができる。これにより、使用者は簡単なキーボードのショートカットキーの操作のみで複数の動作システムにおいてすぐにＣＰＵ、ＧＰＵ、ＲＡＭ等のハードウェア設備の動作機能を同時に調整することができる。【選択図】図２
0003210511.tif 000002
【実用新案登録請求の範囲】
【請求項１】
電子装置の回路基板に設けられるコンピュータ機能制御装置であって、前記コンピュータ機能制御装置は、機能管理装置と、機能統合装置と、駆動装置と、からなり、
前記機能管理装置は、複数の設定部を備え、前記電子装置内の複数のハードウェア設備の動作周波数を設定し、
前記回路基板に設けられ、情報を前記機能管理装置に関連付ける前記機能統合装置は、使用者が必要な設定に応じて前記設定部を統合することで少なくとも１つの機能統合パラメータを生成し、
前記回路基板に設けられ、前記機能統合装置に電気接続される駆動装置は、コンピュータのキーボードによって前記機能統合装置を駆動し、前記機能統合パラメータを実行することによって、複数の動作システムの動作機能を調整することを特徴とする、コンピュータ機能制御装置。
【請求項２】
前記機能統合装置は、パラメータ保存部を備え、機能統合パラメータを保存することを特徴とする、請求項１に記載のコンピュータ機能制御装置。
【請求項３】
前記機能管理装置は、機能選択部を備え、オーバークロックモード、節電モード、正常モード、カスタムモードのうちのどれか１つに切り替えることを特徴とする、請求項１に記載のコンピュータ機能制御装置。
【請求項４】
前記設定部は、中央処理装置（Ｃｅｎｔｒａｌ  Ｐｒｏｃｅｓｓｉｎｇ  Ｕｎｉｔ，  ＣＰＵ）、グラフィック処理装置（Ｇｒａｐｈｉｃ  Ｐｒｏｃｅｓｓｉｎｇ  Ｕｎｉｔ，  ＧＰＵ）、ランダムアクセスメモリ（Ｒａｎｄｏｍ  Ａｃｃｅｓｓ  Ｍｅｍｏｒｙ，  ＲＡＭ）の動作周波数を設定することを特徴とする、請求項１に記載のコンピュータ機能制御装置。
【請求項５】
前記機能管理装置は、少なくとも１つの監視部を備え、前記中央処理装置、前記グラフィック処理装置、ランダムアクセスメモリの電気状態を表示することを特徴とする、請求項４に記載のコンピュータ機能制御装置。
【請求項６】
前記電子装置はノートパソコン、デスクトップパソコン、モバイル電子装置のうちの１つであることを特徴とする、請求項１に記載のコンピュータ機能制御装置。
【請求項７】
前記駆動装置はコンピュータキーボードのショートカットキー、コンビネーションキー、または機能キーによって駆動することを特徴とする、請求項１に記載のコンピュータ機能制御装置。
【請求項８】
前記機能管理装置は、さらに電源設定部を備え、ハードウェア設備の動作電圧を設定することを特徴とする、請求項１に記載のコンピュータ機能制御装置。
【考案の詳細な説明】
【技術分野】
【０００１】
本考案は、コンピュータ機能制御装置に関し、特に、複数の動作システムにおいてキーボードのショートカットキーによって手早く即座に中央処理装置、グラフィック処理装置、ランダムアクセスメモリのクロックを調整するコンピュータ機能制御装置に関する。
【背景技術】
【０００２】
使用者が自分で中央処理装置または表示カードの動作周波数を手動で高めることを、一般に「オーバークロック」（Ｏｖｅｒｃｌｏｃｋｉｎｇ）という。伝統的なオーバークロックの手法は、起動時にＢＩＯＳから中央処理装置の周波数を調整し、周波数調整後に再起動してオーバークロックする方法、または直接マザーボードのジャンパーを調整してオーバークロックする方法である。しかしながら、動作周波数が高くなると、処理装置に負荷がかかり、電圧と電流がどちらも高くなり、負荷が高すぎると過負荷状態になり、内部の回路が損傷したり、装置が故障して使用できなくなる。
【０００３】
上述のオーバークロック技術を使用する際に、以下に挙げる問題点と欠点が存在し、改善が必要とされている。
【０００４】
一、ＢＩＯＳからオーバークロックする手順は比較的繁雑である上、オーバークロックの方法が分からない使用者にとって、どのようにＢＩＯＳから処理装置の周波数を調整するかはさらに分かりづらく、誰もが手軽に使用できるわけではない。さらに、オーバークロックした後も、ウィンドウズ（登録商標）から直接現在の処理装置の動作周波数を見ることはできない。
【０００５】
二、ジャンパーからオーバークロックするためには、コンピュータの組み立て時に処理装置の周波数を調整しなくてはならず、コンピュータの使用中にオーバークロックしたい場合、シャットダウンし、ＰＣケースを開けて始めてジャンパーを調整することができる。その手順はさらに繁雑で、コンピュータのハードウェアの構成が分からない使用者にとっては、ハードウェアを分解してジャンパーを調整する方法に至っては見当もつかない。
【０００６】
三、中央処理器であろうとグラフィック処理装置であろうと、各自で操作するため、まとめて同時に調整することができず、デバイスにかかる負荷の平衡を図るのが比較的難しい。
【考案の概要】
【考案が解決しようとする課題】
【０００７】
本考案は、複数の動作システムにおいて、直接ＢＩＯＳから関係情報を読み取り、オーバークロックの基礎を築き、機能管理装置によって多様なハードウェア装置にオーバークロックを行う、キーボードのショートカットキーによる駆動方法を提供することを目的とする。
【課題を解決するための手段】
【０００８】
上述の目的を達成するために、本考案は、電子装置の回路基板に設けられるとともに、主に機能管理装置と、機能統合装置と、駆動装置と、からなる。前記機能管理装置は、複数の設定部を備え、前記電子装置内の複数のハードウェア設備の動作周波数を設定する。前記回路基板には、情報を前記機能管理装置に関連付ける機能統合装置が設けられ、使用者が必要な設定に応じて前記設定部を統合することで少なくとも１つの機能統合パラメータが生成される。さらに、前記回路基板には前記機能統合装置に電気接続される駆動装置が設けられ、コンピュータのキーボードによって前記機能統合装置を駆動し、前記機能統合パラメータを実行することによって、複数の動作システムの動作機能を調整することができる。使用者が電子装置において本考案を設置する際、起動後複数の動作システムに導入されたとしても、直接コンピュータのキーボードを操作することによって駆動装置を起動することができ、前記駆動装置は前記機能管理装置を起動させると同時に、前記機能統合装置を起動させる。この時、前記機能管理装置はハードウェア設備の電気状態を表示することができると同時に、使用者は前記設定部によってハードウェア設備の動作周波数を設定し、前記機能統合装置が電気状態に対応する前記機能統合パラメータを実行することで、複数の動作システムの動作機能を調整することができる。これにより、使用者は簡単なキーボードのショートカットキーの操作のみで複数の動作システムにおいてすぐにＣＰＵ、ＧＰＵ、ＲＡＭ等のハードウェア設備の動作機能を同時に調整できるため、簡単に手早く多様なハードウェア設備においてオーバークロックすることができる。オーバークロックモード、正常モード、節電モード等の所与の設定による一般的な使用以外にも、様々なカスタムモードの設定によって使用者はカスタムパラメータを保存することができるため、使用者は異なる使用環境において手早く切り替えることができる。
【図面の簡単な説明】
【０００９】
【図１】本考案の好ましい実施例の斜視図である。
【図２】本考案の好ましい実施例の構造ブロックである。
【図３】本考案の好ましい実施例の実施図である。
【図４】本考案の好ましい実施例の使用状態を示した図である。
【図５】本考案の２つ目の好ましい実施例の使用状態を示した図である。
【図６】本考案の３つ目の好ましい実施例の使用状態を示した図である。
【考案を実施するための形態】
【００１０】
図１と図２に示すように、本考案は、電子回路４の回路基板４１に設けられ、前記コンピュータ機能制御装置は、機能管理装置１と、機能統合装置２と、駆動装置３と、からなる。
【００１１】
前記機能管理装置１は、複数の設定部１１と、機能選択部１２と、少なくとも１つの監視部１３とを備える。設定部１１は、電子装置４内の複数のハードウェア設備（本実施例においては中央処理装置（Ｃｅｎｔｒａｌ  Ｐｒｏｃｅｓｓｉｎｇ  Ｕｎｉｔ，  ＣＰＵ）、グラフィック処理装置（Ｇｒａｐｈｉｃ  Ｐｒｏｃｅｓｓｉｎｇ  Ｕｎｉｔ，  ＧＰＵ）、またはランダムアクセスメモリ（Ｒａｎｄｏｍ  Ａｃｃｅｓｓ  Ｍｅｍｏｒｙ，  ＲＡＭ）を使用）の動作周波数を設定することができ、機能選択部１２は、オーバークロックモード（ＳｕｐｅｒＣｌｏｃｋ  ｍｏｄｅまたはＯｖｅｒＣｌｏｃｋ  ｍｏｄｅ）、節電モード（ＤｏｗｎＣｌｏｃｋ  ｍｏｄｅ）、正常モード（ＮＯＲＭＡＬ）、カスタムモード（Ｐｒｏｆｉｌｅ  ｍｏｄｅ）のうちの１つに切り替えることができ、監視部１３は、前記中央処理装置、前記グラフィック処理装置、ランダムアクセスメモリの電気状態を表示する。
【００１２】
回路基板４１に設けられ、情報を機能管理装置１に関連付ける機能統合装置２は、使用者が必要な設定に応じて設定部１１を統合することで少なくとも１つの機能統合パラメータ２１１を生成する。さらに、機能統合装置２はパラメータ保存部２１を備え、機能統合パラメータ２１１を保存する。
【００１３】
回路基板４１に設けられ、機能統合装置２に電気接続される駆動装置３は、コンピュータのキーボード操作によって機能統合装置２を駆動して機能統合パラメータ２１１を実行することによって、複数の動作システムにおける動作機能を調整することができる。
【００１４】
上述の電子装置４は、ノートパソコン、デスクトップパソコン、モバイル電子装置のうちの１つであり、駆動装置３は、コンピュータキーボードのショートカットキー、コンビネーションキー、または機能キーによって駆動する。
【００１５】
図１から図４に示す図から分かる通り、上述の部品を組み立てる時、使用者が電子装置４に本考案を設置することによって、複数の動作システムのインターフェースにおいて、コンピュータキーボードのショートカットキーの操作のみで駆動装置３を起動させることができ、駆動装置３は同時に機能管理装置１を起動し、機能統合装置２を駆動する。図４から分かる通り、機能管理装置１のインターフェースは、機能選択部１２と少なくとも１つの監視部１３を備え、そのうち、監視部１３は、中央処理装置、グラフィック処理装置、ランダムアクセスメモリの各温度、周波率、電圧等の動作状態をリアルタイムで表示することができ、使用者が参考にすることができる。機能選択部１２は、使用者が異なるショートカットキーを操作することによって、それに対応する異なる機能を起動する。本実施例において、使用者はカスタムモード１（Ｐｒｏｆｉｌｅ１  Ｍｏｄｅ）を駆動する。使用者は前記動作状態に基づき、設定部１１より前記ハードウェア設備の動作周波数を調整することができ、調整後、機能統合パラメータ２１１を生成し、機能統合パラメータ２１１はパラメータ保存部２１に保存されると同時に、機能統合装置２を実行する。これにより、複数の動作システムにおいて、中央処理装置、グラフィック処理装置、ランダムアクセスメモリのオーバークロック動作を行うことができるとともに、リアルタイムでその他の動作状態を監視することができ、２回目に使用する際には使用者の必要に合わせて、すぐにアクセスし実行することができる。
【００１６】
図５に示すように、ショートカットキーに対応するモードに変更する。使用者が機能選択部１２ａのオーバークロックモード（ＳｕｐｅｒＣｌｏｃｋ  ｍｏｄｅ或ＯｖｅｒＣｌｏｃｋ  ｍｏｄｅ）を駆動すると、駆動装置３ａは監視部１３ａをも起動するが、オーバークロックモードはパラメータ保存部２１ａにおいて所与のオプションであるため、機能統合装置２ａは直接対応する機能統合パラメータを読み取り、設定部で設定せずに直接オーバークロック動作を行うことができる。これにより、簡単で手早いショートカットキーの操作で、中央処理装置、グラフィック処理装置、ランダムアクセスメモリのオーバークロック動作を行うことができる。
【００１７】
図６に示すように、機能管理装置１ｂは、ハードウェア設備の動作電圧を設定する電源設定部１４ｂを備える。操作時に電源設定部１４ｂに係合することができ、ショートカットキーによって機能選択部１２ｂの節電モード（ＤｏｗｎＣｌｏｃｋ  ｍｏｄｅ）を駆動することができる。節電モードでは、中央処理装置、グラフィック処理装置、ランダムアクセスメモリの動作周波数を下げることができるだけではなく、ハードウェア設備（本実施例ではＣＰＵを使用）の電圧需要を下げることもできる。このようにして、ショートカットキーによって手早く節電モードに切り替えることができる。
【００１８】
同時に、節電の目的を達成するため、電子装置が外部電源（本線電源に連結される交流電流）から内部電源（電子装置内蔵の電池）に切り替えられると、機能管理装置１ｂも自動で節電モード（ＤｏｗｎＣｌｏｃｋ  ｍｏｄｅ）に切り替えられ、再び外部電源に切り替えられると、前回のモード（例えばオーバークロックモード）に自動で切り替えられる。
【符号の説明】
【００１９】
１      機能管理装置
２      機能統合装置
３      駆動装置
４      電子裝置
４１    回路基板
１１    設定部
１２    機能選択部
１３    監視部
２１１  機能統合パラメータ
２１    パラメータ保存部
１２ａ  機能選択部
１３ａ  監視部
２１ａ  パラメータ保存部
２ａ    機能統合装置
１ｂ    機能管理装置
１２ｂ  機能選択部
１４ｂ  電源設定部
【図１】
0003210511.tif 000003
【図２】
0003210511.tif 000004
【図３】
0003210511.tif 000005
【図４】
0003210511.tif 000006
【図５】
0003210511.tif 000007
【図６】
0003210511.tif 000008